(57)【特許請求の範囲】
【請求項１】
容器体（１００）の口頸部（１０１）外周に嵌合させる装着キャップ（Ａ）に上端部を固定させた状態で容器体（１００）内に垂下され、かつ大径の空気用シリンダ（２０）及び小径の液用シリンダ（２１）を上下に同心円状に連設させてなるシリンダ部材（Ｂ）と、
液用シリンダ（２１）内を摺動する液用ピストン（Ｃ１）を、吐出弁（３７）を備えたステム（Ｃ２）外周下部より突設させるとともに、空気用シリンダ（２０）内を摺動する空気用ピストン（Ｃ３）をステム（Ｃ２）外周上部に連携させ、ステム（Ｃ２）内と連通する吐出口（５４）を備えた吐出ヘッド（Ｃ４）が嵌着され、かつ上方付勢状態で上下動可能に装着された作動部材（Ｃ）とを備え、
吐出弁（３７）は、ステム（Ｃ２）内上部に突設した吐出弁用の弁座（３５）に、別体の吐出弁体（３６）を載置させて構成され、作動部材（Ｃ）の上下動により液用シリンダ（２１）内の液と空気用シリンダ（２０）内の空気を合流させて起泡部材（Ｃ７）を介して起泡させ、吐出口（５４）より吐出する如く構成された泡吐出器であって、
ステム（Ｃ２）内に吐出弁体（３６）の上下動を規制する隔壁部材（Ｃ５）が嵌着されるとともに、
内部に起泡部材（Ｃ７）を嵌合させた装着筒部材（Ｃ６）が吐出ヘッド（Ｃ４）の縦筒（５０）内に嵌着されており、
隔壁部材（Ｃ５）と装着筒部材（Ｃ６）とで、空気用シリンダ（２０）からの空気通路（ｐ）と吐出弁（３７）からの液流路が合流する気液混合室（Ｒ）を画成させてなり、
上記隔壁部材（Ｃ５）は、その下部をステム（Ｃ２）内に嵌着させた筒壁に形成させるとともに、その上部に上記筒壁の筒孔上方を覆う蓋体部（ｅ）を有しており、かつ隔壁部材（Ｃ５）の上部が、上記蓋板部（ｅ）の周囲に間隙を存して、上記装着筒部材（Ｃ６）内に位置しており、
装着筒部材（Ｃ６）は、隔壁部材（Ｃ５）と起泡部材（Ｃ７）との間に位置させて、中央部に連通窓（ｗ）を開口させたフランジ状の底板（ｂ）を有しており、
これら底板（ｂ）と蓋板部（ｅ）との間に形成された気液混合室（Ｒ）を、上記蓋板部（ｅ）の周囲の間隙を介して上記空気通路（ｐ）及び上記液通路と連通させるように構成してなることを特徴とする、泡吐出器。
【請求項２】
隔壁部材（Ｃ５）は、ステム（Ｃ２）内周に嵌着させた嵌合筒（６０）と、嵌合筒（６０）内中央部の吐出弁体（３６）上方に、周囲に液の流通が可能に支持されかつ上記蓋板（ｅ）で上端を閉塞させた隔壁筒部（６１）とを備え、
上記装着筒部材（Ｃ６）は、ステム（Ｃ２）上端部外周に下端部を嵌着した縦筒（５０）内周に嵌着させた装着筒部（６５）を有し、かつ、この装着筒部（６５）の下端より上述のフランジ状の底板（ｂ）を内方へ延設させてなり、
ステム（Ｃ２）上方の縦筒（５０）内面に一端を開口した空気通路（ｐ）と連通され、かつ隔壁筒部（６１）外周の液流路と連通された上記気液混合室（Ｒ）を、フランジ状の底板（ｂ）と隔壁筒部（６１）との間に画成させてなることを特徴とする請求項１に記載の泡吐出器。
【請求項３】
上記装着筒部材（Ｃ６）は、フランジ状の底板（ｂ）下面よりステム（Ｃ２）内周に垂下筒（６８）を垂設させており、かつ、底板（ｂ）及び垂下筒（６８）とステム（Ｃ２）との間に、ステム（Ｃ２）上の縦筒（５０）内面に開口させた空気通路（ｐ）から隔壁筒部（６１）外周の液流路に連通する隙間が形成されている、請求項２に記載の泡吐出器。
【請求項４】
上記作動部材（Ｃ）が、
ステム（Ｃ２）外周上端部に下部を嵌着した上記縦筒（５０）の上部に基端を開口させてノズル（５３）が延設され、かつ、縦筒（５０）下端内周に環状凹部（５５）を凹設させた吐出ヘッド（Ｃ４）と、
下端部とステム（Ｃ２）外周に突設した空気吐出弁用の弁座（３９）とで空気吐出弁（４９）が構成されており、上端部を環状凹部（５５）内周面に摺動可能に嵌合させてステム（Ｃ２）外周に上下動可能に嵌合させた筒状弁部（４５）を備え、筒状弁部（４５）の外面より突設させた隔壁（４６）を介して空気用シリンダ（２０）に摺動する摺動部（４７）を備えた空気用ピストン（Ｃ３）と、
装着筒部（６５）内に嵌着した筒体（７１）の端面にメッシュ（７０）を張設させた起泡部材（Ｃ７）とを備え、
空気用シリンダ（２０）からステム（Ｃ２）と筒状弁部（４５）との間、ステム（Ｃ２）と縦筒（５０）との間を通り、ステム（Ｃ２）上端に至る空気通路（ｐ）が設けられてなる、請求項２又は請求項３に記載の泡吐出器。
【請求項５】
上記隔壁筒部（６１）の下端に、周方向複数の凹部（６４）を形成させてなる請求項２乃至請求項４のいずれか１項に記載の泡吐出器。
【請求項６】
上記隔壁部材（Ｃ５）は、ステム（Ｃ２）内上端部に嵌着され、かつ吐出弁（３７）上方に蓋板部（ｅ）を支持しており、中央より上方に向かってテーパ状に広がるように形成されかつ蓋板部（ｅ）周囲に開口する液流路を備え、
装着筒部材（Ｃ６）は、ステム（Ｃ２）外周上端部に下端部を嵌着させており、縦筒（５０）内周に上端部を嵌着した装着筒部（９５）より、中央に連通窓（ｗ）が開口されかつ蓋板部（ｅ）上方に延設させた底板（ｂ）を備え、
ステム（Ｃ２）上方の装着筒部（９５）内面に一端を開口した空気通路（ｐ）と連通され、かつ蓋板部（ｅ）外周に一端を開口する液流路と連通された上記気液混合室（Ｒ）を、底板（ｂ）と蓋板部（ｅ）との間に画成させている請求項１記載の泡吐出器。
【請求項７】
上記蓋板部（ｅ）外周の液流路の一端開口部位に、空気通路（ｐ）の一端を開口して合流させるように形成された、請求項６に記載の泡吐出器。
【請求項８】
上記隔壁部材（Ｃ５）は、ステム（Ｃ２）内周に嵌着させた、上面が上方へ向かって広がるテーパ面（ｆ１）をなす嵌合筒（９１）と、嵌合筒（９１）内周縁に立設した支柱（９２）により外周縁を支持され、下面周縁部を上方へ向かって広がるテーパ面（ｆ２）に形成させた蓋板部（ｅ）とを備え、
両テーパ面間に上記液流路が画成されてなる、請求項６又は請求項７に記載の泡吐出器。
【請求項９】
上記作動部材（Ｃ）が、
装着筒部（９５）外周に嵌合させた縦筒（５０）の上部に基端を開口させてノズル（５３）が延設された吐出ヘッド（Ｃ４）と、
ステム（Ｃ２）外周上端部に下部を嵌着した装着筒部（９５）の下端内周に環状凹部（９８）を凹設させた装着筒部材（Ｃ６）と、
下端部とステム（Ｃ２）外周に突設した空気吐出弁用の弁座（３９）とで空気吐出弁（４９）が構成され、上端部を環状凹部（９８）内周面に摺動可能に嵌合させてステム（Ｃ２）外周に上下動可能に嵌合させた筒状弁部（４５）を備え、筒状弁部（４５）の外面より突設した隔壁（４６）を介して空気用シリンダ（２０）に摺動する摺動部（４７）を備えた空気用ピストン（Ｃ３）と、
装着筒部（９５）内に嵌着した筒体（７１）の端面にメッシュ（７０）を張設させた起泡部材（Ｃ７）とを備え、
空気用シリンダ（２０）からステム（Ｃ２）と筒状弁部（４５）との間、ステム（Ｃ２）と装着筒部（９５）との間を通り、ステム（Ｃ２）上端に至る空気通路（ｐ）が形成されてなる、請求項６乃至請求項８のいずれか１項に記載の泡吐出器。
【発明の詳細な説明】
【技術分野】
【０００１】
本発明は泡吐出器に関し、詳しくは、吐出ヘッドが離脱した場合でもステム内の吐出弁を構成する弁体の離脱紛失の虞のない泡吐出器に関する。
【背景技術】
【０００２】
泡吐出器として、大径の空気用シリンダと小径の液用シリンダを上下に同心円状に連設したシリンダ部材と、液用シリンダ内を摺動する液用ピストンをステム外周下部より突設するとともに、空気用シリンダ内を摺動する空気用ピストンをステム外周上部に連携させ、ステム上端に吐出ヘッドを嵌着して上方付勢状態で上下動可能に装着した作動部材とを備え、作動部材の上下動により液用シリンダ内の液と空気用シリンダ内の空気を合流させて起泡部材を介して起泡させ、吐出ヘッドの吐出口より吐出する如く構成したものが知られている。（例えば、特許文献１参照）
【０００３】
特許文献１に記載されている泡吐出器では、ステム内上部に玉状の弁体を備えた吐出弁を設け、また、吐出ヘッドの縦筒をステム上端部外周に嵌着し、起泡部材はステム直上の縦筒内よりステム内上端部にわたり嵌着した筒部材内に嵌着固定している。起泡部材はメッシュを一端面に張設した一対の筒体を筒部材内に嵌着することで構成している。
【先行技術文献】
【特許文献】
【０００４】
【特許文献１】特開２００９−２０２１２２号公報
【発明の概要】
【発明が解決しようとする課題】
【０００５】
従来のこの種の泡吐出器では、吐出ヘッドが簡単に離脱しないように、嵌合強度を大きくしてステムに対して吐出ヘッドの強固な嵌合を行なっているが、大きな衝撃等により吐出ヘッドが外れてしまう虞もあった。その場合従来のこの種の泡吐出器では、吐出ヘッドと筒部材、起泡部材がいっぺんに外れてしまい、それに伴ってステム内上部に設けた吐出弁の弁体が飛び出してしまう虞があった。飛び出した弁体は一般に小径であるため紛失の虞が大きくある。また、いたずらにより吐出ヘッドを外すという虞もあり、その場合にも吐出ヘッドの無理な引き抜きの衝撃で弁体が離脱紛失する虞があった。
【０００６】
本発明は上記した点に鑑みてなされたもので、衝撃や悪戯により吐出ヘッドの離脱があった場合にもステム内上部の吐出弁の弁体が離脱紛失する虞がなく、しかも吐出弁体を予めステムにセットしておくこと（モジュール化）が可能で、組み付け効率も良好な泡吐出器を提案する。
【課題を解決するための手段】
【０００７】
第１の手段として、以下の通り構成した。即ち、
容器体１００の口頸部１０１外周に嵌合させる装着キャップＡに上端部を固定させた状態で容器体１００内に垂下され、かつ大径の空気用シリンダ２０及び小径の液用シリンダ２１を上下に同心円状に連設させてなるシリンダ部材Ｂと、
液用シリンダ２１内を摺動する液用ピストンＣ１を、吐出弁３７を備えたステムＣ２外周下部より突設させるとともに、空気用シリンダ２０内を摺動する空気用ピストンＣ３をステムＣ２外周上部に連携させ、ステムＣ２内と連通する吐出口５４を備えた吐出ヘッドＣ４が嵌着され、かつ上方付勢状態で上下動可能に装着された作動部材Ｃとを備え、
吐出弁３７は、ステムＣ２内上部に突設した吐出弁用の弁座３５に、別体の吐出弁体３６を載置させて構成され、作動部材Ｃの上下動により液用シリンダ２１内の液と空気用シリンダ２０内の空気を合流させて起泡部材Ｃ７を介して起泡させ、吐出口５４より吐出する如く構成された泡吐出器であって、
ステムＣ２内に吐出弁体３６の上下動を規制する隔壁部材Ｃ５が嵌着されるとともに、
内部に起泡部材Ｃ７を嵌合させた装着筒部材Ｃ６が吐出ヘッドＣ４の縦筒５０内に嵌着されており、
隔壁部材Ｃ５と装着筒部材Ｃ６とで、空気用シリンダ２０からの空気通路ｐと吐出弁３７からの液流路が合流する気液混合室Ｒを画成させてなり、
上記隔壁部材Ｃ５は、その下部をステムＣ２内に嵌着させた筒壁に形成させるとともに、その上部に上記筒壁の筒孔上方を覆う蓋体部ｅを有しており、かつ隔壁部材Ｃ５の上部が、上記蓋板部ｅの周囲に間隙を存して、上記装着筒部材Ｃ６内に位置しており、
装着筒部材Ｃ６は、隔壁部材Ｃ５と起泡部材Ｃ７との間に位置させて、中央部に連通窓ｗを開口させたフランジ状の底板ｂを有しており、
これら底板ｂと蓋板部ｅとの間に形成された気液混合室Ｒを、上記蓋板部ｅの周囲の間隙を介して上記空気通路ｐ及び上記液通路と連通させるように構成してなる。
【０００８】
第２の手段として、以下の通り構成した。即ち、上記第１の手段に於いて、
隔壁部材Ｃ５は、ステムＣ２内周に嵌着させた嵌合筒６０と、嵌合筒６０内中央部の吐出弁体３６上方に、周囲に液の流通が可能に支持されかつ上記蓋板ｅで上端を閉塞させた隔壁筒部６１とを備え、
上記装着筒部材Ｃ６は、ステムＣ２上端部外周に下端部を嵌着した縦筒５０内周に嵌着させた装着筒部６５を有し、かつ、この装着筒部６５の下端より上述のフランジ状の底板ｂを内方へ延設させてなり、
ステムＣ２上方の縦筒５０内面に一端を開口した空気通路ｐと連通され、かつ隔壁筒部６１外周の液流路と連通された上記気液混合室Ｒを、フランジ状の底板ｂと隔壁筒部６１との間に画成させてなる。
【０００９】
第３の手段として、以下の通り構成した。即ち、上記第２の手段に於いて、
上記装着筒部材Ｃ６は、フランジ状の底板ｂ下面よりステムＣ２内周に垂下筒６８を垂設させており、かつ、底板（ｂ）及び垂下筒（６８）とステム（Ｃ２）との間に、ステム（Ｃ２）上の縦筒（５０）内面に開口させた空気通路（ｐ）から隔壁筒部（６１）外周の液流路に連通する隙間が形成されている。
【００１０】
第４の手段として、以下の通り構成した。即ち、前記第２の手段又は第３の手段に於いて、
上記作動部材Ｃが、
ステムＣ２外周上端部に下部を嵌着した上記縦筒５０の上部に基端を開口させてノズル５３が延設され、かつ、縦筒５０下端内周に環状凹部５５を凹設させた吐出ヘッドＣ４と、
下端部とステムＣ２外周に突設した空気吐出弁用の弁座３９とで空気吐出弁４９が構成されており、上端部を環状凹部５５内周面に摺動可能に嵌合させてステムＣ２外周に上下動可能に嵌合させた筒状弁部４５を備え、筒状弁部４５の外面より突設させた隔壁４６を介して空気用シリンダ２０に摺動する摺動部４７を備えた空気用ピストンＣ３と、
装着筒部６５内に嵌着した筒体７１の端面にメッシュ７０を張設させた起泡部材Ｃ７とを備え、
空気用シリンダ２０からステムＣ２と筒状弁部４５との間、ステムＣ２と縦筒５０との間を通り、ステムＣ２上端に至る空気通路ｐが設けられている。
【００１１】
第５の手段として、以下の通り構成した。即ち、前記第２の手段乃至第４の手段のいずれかの手段に於いて、
上記隔壁筒部６１の下端に、周方向複数の凹部６４を形成させてなる。
【００１２】
第６の手段として、以下の通り構成した。即ち、前記第１の手段に於いて、
上記隔壁部材Ｃ５は、ステムＣ２内上端部に嵌着され、かつ吐出弁３７上方に蓋板部ｅを支持しており、中央より上方に向かってテーパ状に広がるように形成されかつ蓋板部ｅ周囲に開口する液流路を備え、
装着筒部材Ｃ６は、ステムＣ２外周上端部に下端部を嵌着させており、縦筒５０内周に上端部を嵌着した装着筒部９５より、中央に連通窓ｗが開口されかつ蓋板部ｅ上方に延設させた底板ｂを備え、
ステムＣ２上方の装着筒部９５内面に一端を開口した空気通路ｐと連通され、かつ蓋板部ｅ外周に一端を開口する液流路と連通された上記気液混合室Ｒを、底板ｂと蓋板部ｅとの間に画成させてなる。
【００１３】
第７の手段として、前記第６の手段に於いて、
上記蓋板部ｅ外周の液流路の一端開口部位に、空気通路ｐの一端を開口して合流させるように形成された。
【００１４】
第８の手段として、以下の通り構成した。即ち、前記第６の手段又は第７の手段に於いて、
上記隔壁部材Ｃ５は、ステムＣ２内周に嵌着させた、上面が上方へ向かって広がるテーパ面ｆ１をなす嵌合筒９１と、嵌合筒９１内周縁に立設した支柱９２により外周縁を支持され、下面周縁部を上方へ向かって広がるテーパ面ｆ２に形成させた蓋板部ｅとを備え、
両テーパ面間に上記液流路が画成されてなる。
【００１５】
第９の手段として、以下の通り構成した。即ち、前記第６の手段乃至第８の手段に於いて、
上記作動部材Ｃが、
装着筒部９５外周に嵌合させた縦筒５０の上部に基端を開口させてノズル５３が延設された吐出ヘッドＣ４と、
ステムＣ２外周上端部に下部を嵌着した装着筒部９５の下端内周に環状凹部９８を凹設させた装着筒部材Ｃ６と、
下端部とステムＣ２外周に突設した空気吐出弁用の弁座３９とで空気吐出弁４９が構成され、上端部を環状凹部９８内周面に摺動可能に嵌合させてステムＣ２外周に上下動可能に嵌合させた筒状弁部４５を備え、筒状弁部４５の外面より突設した隔壁４６を介して空気用シリンダ２０に摺動する摺動部４７を備えた空気用ピストンＣ３と、
装着筒部９５内に嵌着した筒体７１の端面にメッシュ７０を張設させた起泡部材Ｃ７とを備え、
空気用シリンダ２０からステムＣ２と筒状弁部４５との間、ステムＣ２と装着筒部９５との間を通り、ステムＣ２上端に至る空気通路ｐが形成されてなる。
【発明の効果】
【００１６】
本発明によれば、ステムＣ２内に吐出弁体３６の上下動を規制する隔壁部材Ｃ５を嵌着するとともに、内部に起泡部材Ｃ７を嵌合する装着筒部材Ｃ６を吐出ヘッドＣ４の縦筒５０内に嵌着しているので、万一衝撃等により吐出ヘッドＣ４が外れることがあっても、或いは悪戯等により吐出ヘッドＣ４が取り外されることがあっても、隔壁部材Ｃ５はステムＣ２上端部に止まり、装着筒部材Ｃ６及び起泡部材Ｃ７を嵌着した吐出ヘッドＣ４が取り外されることとなり、吐出弁体３６が露出することはなく、吐出ヘッドＣ４の離脱に伴って吐出弁体３６が飛び出してしまうことがなく、吐出弁体３６の紛失の虞を防止できる。また、隔壁部材Ｃ５の存在でステムＣ２に吐出弁体３６を予めセットしておくことができるため、起泡部材Ｃ７及び装着筒部材Ｃ６をセットした吐出ヘッドＣ４の後からの装着が可能であり、例えば、目の粗さの相違するメッシュ７０を備えた起泡部材Ｃ７を吐出ヘッドＣ４の装着時に適宜選択しての組み付けが可能となる等の利点があり、汎用性に富んだ、容易な組み付けが可能となる。
【００１７】
また、隔壁部材Ｃ５は、ステムＣ２内周に嵌着させた嵌合筒６０と、嵌合筒６０内中央部の吐出弁体３６上方に、周囲に液の流通が可能に支持された上端閉塞の隔壁筒部６１を備え、装着筒部材Ｃ６は、ステムＣ２上端部外周に下端部を嵌着した縦筒５０内周に装着筒部６５を嵌着し、装着筒部６５の下端より、中央に連通窓ｗを開口したフランジ状の底板ｂを延設し、ステムＣ２上方の縦筒５０内面に一端を開口した空気通路ｐと連通し、隔壁筒部６１外周の液流路と連通する気液混合室Ｒをフランジ状の底板ｂと隔壁筒部６１との間に画成した場合には、相互の組み付け操作を容易に行なえるという特徴を備え、各部材をコンパクトに効率良く組み付けることができる利点がある。また、嵌合筒６０と隔壁筒部６１との間に流路を確保でき、液用シリンダ２１内の加圧液は、吐出弁３７を開いて吐出弁体３６の周囲から隔壁筒部６１外周を通り気液混合室Ｒに導入されるため、円滑な液の流動が可能となる。
【００１８】
また、装着筒部材Ｃ６は、フランジ状の底板ｂ下面よりステムＣ２内周に垂下筒６８を垂設し、底板ｂ及び垂下筒６８とステムＣ２との間に、ステムＣ２上の縦筒５０内面に開口した空気通路ｐから隔壁筒部６１外周の液流路に連通する隙間をあけて装着した場合には、空気通路ｐからの空気を隔壁部材Ｃ５外周の液流路に噴出してから気液混合室Ｒ内に導入するため、気液の混合のより均一化を図れる。
【００１９】
作動部材Ｃが、ステムＣ２外周上端部に下部を嵌着した縦筒５０の上部に基端を開口してノズル５３を延設し、縦筒５０下端内周に環状凹部５５を凹設した吐出ヘッドＣ４と、下端部とステムＣ２外周に突設した空気吐出弁用の弁座３９とで空気吐出弁４９を構成し、上端部を環状凹部５５内周面に摺動可能に嵌合させてステムＣ２外周に上下動可能に嵌合させた筒状弁部４５を備え、筒状弁部４５の外面より突設した隔壁４６を介して空気用シリンダ２０に摺動する摺動部４７を備えた空気用ピストンＣ３と、装着筒部６５内に嵌着した筒体７１の端面にメッシュ７０を張設した起泡部材Ｃ７とを備え、空気用シリンダ２０からステムＣ２と筒状弁部４５との間、ステムＣ２と縦筒５０との間を通り、ステムＣ２上端に至る空気通路ｐを設けた場合には、各部材をコンパクトに効率良く組み付けることができる利点がある。
【００２０】
隔壁筒部６１の下端に、周方向複数の凹部６４を形成した場合には、加圧液により吐出弁３７が開いた際に、吐出弁体３６が上昇して隔壁筒部６１に当接し、上端が閉塞した隔壁筒部６１の下端を閉塞してその下端に付着し、円滑な弁機能を阻害する等の不都合を防止できる。
【００２１】
隔壁部材Ｃ５はステムＣ２内上端部に嵌着され、吐出弁３７上方に蓋板部ｅを支持し、中央より上方に向かってテーパ状に広がり、蓋板部ｅ周囲に開口する液流路を備え、装着筒部材Ｃ６は、ステムＣ２外周上端部に下端部を嵌着し、縦筒５０内周に上端部を嵌着した装着筒部９５より、中央に連通窓ｗを開口して蓋板部ｅ上方に延設した底板ｂを備え、ステムＣ２上方の装着筒部９５内面に一端を開口した空気通路ｐと連通し、蓋板部ｅ外周に一端を開口する液流路と連通する気液混合室Ｒを、底板ｂと蓋板部ｅとの間に画成した場合には、中央より上方に向かってテーパー状に広がる液流路を備えているため、また、この液流路は吐出弁体３６の外周に設けられているため、液の流れがよりスムーズとなる特徴を兼ね備えている。
【００２２】
蓋板部ｅ外周の液流路の一端開口部位に、空気通路ｐの一端を開口して合流させた場合には、液と空気の混合が均一化され良質な泡を吐出することができる利点を兼ね備える。
【００２３】
隔壁部材Ｃ５は、ステムＣ２内周に嵌着させた、上面が上方へ向かって広がるテーパ面ｆ１をなす嵌合筒９１と、嵌合筒９１内周縁に立設した支柱９２により外周縁を支持され、下面周縁部を上方へ向かって広がるテーパ面ｆ２とした蓋板部ｅとを備え、両テーパ面間に上記液流路を画成した場合には、構造がシンプルで、しかもステムＣ２への組み付けも容易に行なえる利点を兼ね備える。
【００２４】
作動部材Ｃが、装着筒部９５外周に嵌合させた縦筒５０の上部に基端を開口してノズル５３を延設した吐出ヘッドＣ４と、ステムＣ２外周上端部に下部を嵌着した装着筒部９５の下端内周に環状凹部９８を凹設した装着筒部材Ｃ６と、下端部とステムＣ２外周に突設した空気吐出弁用の弁座３９とで空気吐出弁４９を構成し、上端部を環状凹部９８内周面に摺動可能に嵌合させてステムＣ２外周に上下動可能に嵌合させた筒状弁部４５を備え、筒状弁部４５の外面より突設した隔壁４６を介して空気用シリンダ２０に摺動する摺動部４７を備えた空気用ピストンＣ３と、装着筒部９５内に嵌着した筒体７１の端面にメッシュ７０を張設した起泡部材Ｃ７とを備え、空気用シリンダ２０からステムＣ２と筒状弁部４５との間、ステムＣ２と装着筒部９５との間を通り、ステムＣ２上端に至る空気通路ｐを設けた場合には、各部材をコンパクトに効率良く組み付けることができる利点を兼ね備える。
【図面の簡単な説明】
【００２５】
【図１】泡吐出器の縦断面図である。（第１実施例）
【図２】泡吐出器の要部拡大縦断面図である。（第１実施例）
【図３】泡吐出器の縦断面図である。（第２実施例）
【図４】図３に於ける二点鎖線で囲まれた部分の要部拡大縦断面図である。（第２実施例）
【発明を実施するための形態】
【００２６】
以下、本発明の形態を図面を参照して説明する。
【００２７】
図１及び図２は本発明の泡吐出器の第１実施例を示す。泡吐出器１は、装着キャップＡと、シリンダ部材Ｂと、作動部材Ｃと、ポペット弁体Ｄと、オーバーキャップＥとを備えている。
【００２８】
装着キャップＡは、泡吐出器１を容器体１００に固定するためのもので、容器体１００の口頸部１０１外周に嵌合させる周壁１０の上端縁よりフランジ状の頂壁１１を延設し、頂壁１１中央部にガイド筒１２を延設している。ガイド筒１２は外筒１２ａ及び内筒１２ｂの二重筒状で、頂壁１１上方へ起立した内外筒の上端を頂板１２ｃで閉塞しており、各下端を頂壁１１下方へ突設している。
【００２９】
シリンダ部材Ｂは、上端部を装着キャップＡ裏面外周部に装着固定させた大径の空気用シリンダ２０の下部に、小径の液用シリンダ２１を同心円状に延設している。液用シリンダ２１は、空気用シリンダ２０の底壁部内周縁に周壁部の上端縁を連結して下方へ垂設し、周壁部の下端縁より中央を開口したテーパ状の底壁部を延設し、底壁部の上面を吸込み弁用の弁座２２として構成している。また、底壁部の中央開口縁よりパイプ嵌合筒２３を一体に垂設し、パイプ嵌合筒２３に吸上げ用のパイプ２４の上端を嵌着し、その下端を容器体１００内下端部に垂下させている。更に、液用シリンダ２１内面の底壁部外縁部から周壁部下端部に至る部分に、周方向複数の係止リブ２５を突設している。各係止リブ２５の上下中間部には上向き段部を設けている。
【００３０】
作動部材Ｃは、シリンダ部材Ｂに対して上方付勢状態で上下動可能に組み付けしたもので、液用ピストンＣ１と、ステムＣ２と、空気用ピストンＣ３と、吐出ヘッドＣ４と、隔壁部材Ｃ５と、装着筒部材Ｃ６と、起泡部材Ｃ７とを備えている。
【００３１】
液用ピストンＣ１は、ステムＣ２内下部に嵌着した嵌合筒部３０の下端外周より外方へ上下スカート状の摺動部３１を突設し、摺動部３１を液用シリンダ２１内周に液密摺動可能に嵌合させている。また、嵌合筒部３０の上端部はステムＣ２内の上下方向中間部に於いて突条形態の逆止弁用の弁座３２を形成している。そして、液用ピストンＣ１の嵌合筒部３０下面と各係止リブ２５の上向き段部との間にコイルスプリングｓを介在させて作動部材Ｃを常時上方へ付勢させている。
【００３２】
ステムＣ２は、上下端を開口した筒状をなし、液用シリンダ２１に摺動する液用ピストンＣ１を下部外周に突設するとともに、空気用シリンダ２０内を摺動する空気用ピストンＣ３を外周上部に連携させて、液用シリンダ２１内及び空気用シリンダ２０内を上下動可能に装着されている。ステムＣ２内上部には吐出弁用の弁座３５を形成し、該弁座３５上に載置された別体の玉状の吐出弁体３６とで吐出弁３７を形成している。本例に於ける吐出弁用の弁座３５はステムＣ２内面より突設したフランジ部３５ａの内周縁より起立した、上面が内方へ下るテーパ面をなす筒状に形成されている。また、吐出弁用の弁座３５の下面から逆止弁用の弁座３２の直上までの間に周方向複数の縦突条３８を突設している。更に、外面上下方向中間部にはフランジ状に突設した空気吐出弁用の弁座３９を突設しており、その上方の筒壁外周には周方向複数の縦突条４０を突設している。尚、本発明に於ける吐出弁３７は、ステムＣ２内上部に突設した吐出弁用の弁座３５に、別体の吐出弁体３６を載置して構成されたものが対象となり、吐出弁体３６は一般的な玉状をなすものであっても、例えば紡錘形状等の他の形状であっても良く、上記した構成を備えていれば良い。
【００３３】
空気用ピストンＣ３は、内周縁の筒状弁部４５をステムＣ２外周に小幅の上下動が可能に嵌合させ、筒状弁部４５外周より延設した階段状の隔壁４６を介して、空気用シリンダ２０内周に液密摺動可能に嵌合した上下スカート状の摺動部４７を延設している。筒状弁部４５はステムＣ２外周の縦突条４０外面に上下動可能に嵌合させている。また、空気用シリンダ２０の階段状の隔壁４６には外気を導入するための外気導入弁４８を設けている。外気導入弁４８は、下降した作動部材Ｃが上昇する際に空気用シリンダ２０内が負圧となることで開弁し、外気を導入する。
【００３４】
また、後述する如く、ステムＣ２の外周上端部には、内周下端部に環状凹部５５を凹設した吐出ヘッドＣ４の縦筒５０を嵌合しており、筒状弁部４５はその環状凹部５５内周面に摺動可能に嵌合させている。また、筒状弁部４５は環状凹部５５の頂面と、空気吐出弁用の弁座３９との間を上下動可能に装着しており、筒状弁部４５の下端部と空気吐出弁用の弁座３９とで空気吐出弁４９を構成している。そして、ステムＣ２と筒状弁部４５との間に、空気吐出弁４９から環状凹部５５内に連通し、空気用シリンダ２０内からステムＣ２内へ連通する空気通路ｐを構成する通気路を備えている。この空気吐出弁４９は、図１に示す作動部材Ｃが最上方へ押し上げられている場合には閉塞しており、作動部材Ｃを押し下げた際には開弁し、更に押し下げ状態から上方付勢力により上昇する際には閉塞する如く構成している。
【００３５】
吐出ヘッドＣ４はステムＣ２の外周上端部に内周下端部を嵌合させた縦筒５０を頂板５１裏面より垂設し、頂板５１の周縁部から外周壁５２を垂設し、外周壁５２の下端部をガイド筒１２内に垂下している。また、縦筒５０の上端に基端を開口して、外周壁５２を貫通して前方へ突設したノズル５３を延設し、その先端に吐出口５４を開口している。更に、縦筒５０の下端部内面には上記した環状凹部５５を凹設しており、環状凹部５５直上の縦筒５０内面には、下端を環状凹部５５の上端に開口し、上端をステムＣ２直上に開口した縦凹溝５６を縦設している。そして、この縦凹溝５６内、環状凹部５５内、ステムＣ２と筒状弁部４５との間とで、空気用シリンダ２０内からステムＣ２内に連通する空気通路ｐを構成している。また、縦筒５０内の上端部には補強用リブ５７を突設している。
【００３６】
隔壁部材Ｃ５は、ステムＣ２内に嵌着して吐出弁体３６の上下動を規制するもので、また、装着筒部材Ｃ６とで、空気用シリンダ２０からの空気通路ｐと吐出弁３７からの液流路が合流する気液混合室Ｒを画成する。
【００３７】
隔壁部材Ｃ５は、ステムＣ２内周に嵌着させた嵌合筒６０と、嵌合筒６０内中央部の吐出弁体３６上方に、周囲に液の流通が可能に支持されかつ上端を蓋板部ｅで閉塞させた隔壁筒部６１を備えている。図示例では、嵌合筒６０は、装着した際に、ステムＣ２の上端より下方位置に上端が位置する高さで、下端外周には環状突条６２を突周設しており、下端内面を吐出弁用の弁座３５の外面に嵌合するとともに、環状突条６２をステムＣ２内面に周方向複数突設した係止突起４１に乗り越え係合させて抜け出しの防止を図っている。また、隔壁筒部６１は嵌合筒６０の内面に周方向複数突設した支持リブ６３により下部外周部を支持されており、下端を吐出弁体３６と隙間をあけた位置に、上端をステムＣ２の上端より若干下方位置に支持されている。また、隔壁筒部６１の下端部には周方向複数の凹部６４を凹設しており、液の流通をより良好ならしめている。
【００３８】
装着筒部材Ｃ６は、内部に起泡部材Ｃ７を嵌合して、吐出ヘッドＣ４の縦筒５０内に嵌着している。図示例では、縦筒５０内周に嵌着した装着筒部６５の下端より、中央に連通窓６６を開口して延設したフランジ状の底板ｂを備え、また、フランジ状の底板ｂ下面よりステムＣ２内周に垂下筒６８を垂設している。また、底板ｂの周縁部下面から垂下筒６８の外面を縦断する隙間用リブ６９を周方向複数突設しており、隙間用リブ６９を対応するステムＣ２の上面及び内面に当接して、底板ｂ及び垂下筒６８とステムＣ２との間に、ステムＣ２上方の縦筒５０内面に開口した空気通路ｐから隔壁筒部６１外周の液流路に連通する通気路を設けて装着している。
【００３９】
そして、空気通路ｐと連通し、隔壁筒部６１外周の液流路と連通する気液混合室Ｒをフランジ状の底板ｂと隔壁筒部６１との間に画成している。
【００４０】
起泡部材Ｃ７は、メッシュを張設した筒体７１を一対用意して、メッシュ７０が上端及び下端になる如く装着筒部材Ｃ６の装着筒部６５内に嵌着している。尚、図示例では筒体を一対設けているが、メッシュを張設した筒体を一つ嵌着することも、三個以上嵌着することも可能であり、適宜選択することが可能である。
【００４１】
ポペット弁体Ｄは、下端部外面に、それぞれ液用シリンダ２１の係止リブ２５間に位置させる、周方向複数の係止突部８０を突設しており、液用シリンダ２１内からステムＣ２内下部に至る長さを有しており、吸込み弁用の弁座２２と下面が当接する位置から、各係止突部８０がコイルスプリングｓ下面に当接する位置までの上下動が可能に装着している。各係止突部８０上方は、下部を大径部に上部を小径部に形成しており、小径部の上端にはテーパ筒状に拡開する逆止弁体８１を形成し、この逆止弁体８１と逆止弁用の弁座３２とで逆止弁８２を形成している。また、ポペット弁体Ｄの下端部と吸込み弁用の弁座２２とで吸込み弁８３を構成している。
【００４２】
オーバーキャップＥは、ガイド筒１２外周に下端部を着脱可能に嵌合させた周壁の上端より頂壁を延設した下端開口の有頂筒状をなし、吐出ヘッドＣ４を被覆して装着している。
【００４３】
上記泡吐出器１は、図１の状態からオーバーキャップＥを外して吐出ヘッドＣ４を押し下げると、空気用ピストンＣ３がステムＣ２に対して相対的に上昇して空気吐出弁４９が開き、下降する空気用ピストンＣ３により空気用シリンダ２０内の空気が加圧されて空気通路ｐを介して気液混合室Ｒ内に導入される。一方、液用シリンダ２１が下降してポペット弁体Ｄを吸込み弁用の弁座２２に当接させるまで下降させるとともに、ポペット弁体ＤがステムＣ２に対して相対的に上昇して逆止弁８２が開き、液用シリンダ２１内の加圧液を吐出弁３７を介して気液混合室Ｒに導入させ、ここで気液を混合する。気液混合室Ｒで混合された気液は起泡部材Ｃ７を通過して発泡し、吐出ヘッドＣ４のノズル５３の吐出口５４から外部へ吐出される。尚、本例では上記構成の隔壁部材Ｃ５の存在で、液用シリンダ２１内の加圧液は、吐出弁３７を開いて吐出弁体３６の周囲から隔壁筒部６１外周を通り気液混合室Ｒに導入される。
【００４４】
吐出ヘッドＣ４の押圧を解除すると、コイルスプリングｓの付勢力により作動部材Ｃが上昇し、その際空気用ピストンＣ３がステムＣ２に対して相対的に下降して空気吐出弁４９が閉じ、空気用シリンダ２０内の負圧化によって外気導入弁４８が開いて外気が空気用シリンダ２０内に導入される。一方、ステムＣ２の上昇によりポペット弁体Ｄは、逆止弁８２と各縦突条３８との摩擦力で上昇し、吸込み弁８３が開いて負圧化した液用シリンダ２１内に容器体１００内の液が導入され、その際吐出弁３７は閉じる。ポペット弁体Ｄはその係止突部８０がコイルスプリングｓの下面に当接するまで上昇するが、その後はステムＣ２に対して、逆止弁体８１が逆止弁用の弁座３２に当接するまで、相対的に下降する。
【００４５】
図３及び図４は本発明の泡吐出器の第２実施例を示す。泡吐出器１は、装着キャップＡと、シリンダ部材Ｂと、作動部材Ｃと、ポペット弁体Ｄと、ストッパーＦとを備えている。
【００４６】
装着キャップＡは、泡吐出器１を容器体１００に固定するためのもので、容器体１００の口頸部１０１外周に嵌合させる周壁１０の上端縁よりフランジ状の頂壁１１を延設し、頂壁１１中央部にガイド筒１２を立設している。
【００４７】
シリンダ部材Ｂは、上端部を装着キャップＡ裏面外周部に装着固定させた大径の空気用シリンダ２０の下部に、小径の液用シリンダ２１を同心円状に延設している。液用シリンダ２１は、空気用シリンダ２０の底壁部内周縁に周壁部の上端縁を連結して下方へ垂設し、周壁部の下端縁より中央を開口したテーパ状の底壁部を延設し、底壁部の上面を吸込み弁用の弁座２２として構成している。また、底壁部の中央開口縁よりパイプ嵌合筒２３を一体に垂設し、パイプ嵌合筒２３に吸上げ用のパイプ２４の上端を嵌着し、その下端を容器体１００内下端部に垂下させている。更に、液用シリンダ２１内面の底壁部外縁部から周壁部下端部に至る部分に、周方向複数の係止リブ２５を突設している。各係止リブ２５の上下中間部には上向き段部を設けている。
【００４８】
作動部材Ｃは、シリンダ部材Ｂに対して上方付勢状態で上下動可能に組み付けしたもので、液用ピストンＣ１と、ステムＣ２と、空気用ピストンＣ３と、吐出ヘッドＣ４と、隔壁部材Ｃ５と、装着筒部材Ｃ６と、起泡部材Ｃ７とを備えている。
【００４９】
液用ピストンＣ１は、ステムＣ２内下部に嵌着した嵌合筒部３０の下端外周より外方へスカート状の摺動部３１を突設し、摺動部３１を液用シリンダ２１内周に液密摺動可能に嵌合させている。また、嵌合筒部３０の上端部はステムＣ２内の上下方向中間部に於いて突条形態の逆止弁用の弁座３２を形成している。そして、液用ピストンＣ１の嵌合筒部３０下面と各係止リブ２５の上向き段部との間にコイルスプリングｓを介在させて作動部材Ｃを常時上方へ付勢させている。
【００５０】
ステムＣ２は、上下端を開口した筒状をなし、液用シリンダ２１に摺動する液用ピストンＣ１を下部外周に突設するとともに、空気用シリンダ２０内を摺動する空気用ピストンＣ３を外周上部に連携させて、液用シリンダ２１内及び空気用シリンダ２０内を上下動可能に装着されている。ステムＣ２内上部には吐出弁用の弁座３５を形成し、該弁座３５上に載置された別体の玉状の吐出弁体３６とで吐出弁３７を形成している。
【００５１】
本例に於ける吐出弁用の弁座３５は、ステムＣ２内面より突設したフランジ部３５ａと、フランジ部３５ａの内周縁に連設した、内周面が内方へ下るテーパ面をなす断面三角形状の環状部３５ｂと、環状部３５ｂ下面に垂設した筒状部３５ｃとから形成されており、テーパ面上に吐出弁体３６を載置している。また、吐出弁用の弁座３５の下面から逆止弁用の弁座３２の直上までの間に周方向複数の縦突条３８を突設している。更に、外面上下方向中間部にはフランジ状に突設した空気吐出弁用の弁座３９を突設している。
【００５２】
空気用ピストンＣ３は、内周縁の筒状弁部４５をステムＣ２外周に小幅の上下動が可能に嵌合させ、筒状弁部４５外周より延設した階段状の隔壁４６を介して、空気用シリンダ２０内周に液密摺動可能に嵌合した上下スカート状の摺動部４７を延設している。また、空気用シリンダ２０の階段状の隔壁４６には外気を導入するための外気導入弁４８を設けている。外気導入弁４８は、下降した作動部材Ｃが上昇する際に空気用シリンダ２０内が負圧となることで開弁し、外気を導入する。
【００５３】
また、後述する如く、ステムＣ２の外周上端部には、内周下端部に環状凹部９８を凹設した装着筒部材Ｃ６の装着筒部９５を嵌合しており、筒状弁部４５はその環状凹部９８内周面に摺動可能に嵌合させている。また、筒状弁部４５は環状凹部９８の頂面と、空気吐出弁用の弁座３９との間を上下動可能に装着しており、筒状弁部４５の下端部と空気吐出弁用の弁座３９とで空気吐出弁４９を構成している。そして、ステムＣ２と筒状弁部４５との間に、空気吐出弁４９から環状凹部９８内に連通し、空気用シリンダ２０内からステムＣ２内へ連通する空気通路ｐを構成する通気路を備えている。この空気吐出弁４９は、図３に示す作動部材Ｃが最上方へ押し上げられている場合には閉塞しており、作動部材Ｃを押し下げた際には開弁し、更に押し下げ状態から上方付勢力により上昇する際には閉塞する如く構成している。
【００５４】
吐出ヘッドＣ４は、下端部をステムＣ２の外周上端部に嵌合させた装着筒部材Ｃ６の装着筒部９５の上端部外周に、頂板５１裏面より垂設した縦筒５０を嵌合して装着している。頂板５１の周縁部から短い外方垂下壁５８を垂設し、外方垂下壁５８と縦筒５０との間に別体の内方垂下壁５９を垂設している。また、縦筒５０の上端に基端を開口して、内方垂下壁５９及び外方垂下壁５８を貫通して前方へ突設したノズル５３を延設し、その先端に吐出口５４を開口している。
【００５５】
隔壁部材Ｃ５は、ステムＣ２内に嵌着して吐出弁体３６の上下動を規制するもので、また、装着筒部材Ｃ６とで、空気用シリンダ２０からの空気通路ｐと吐出弁３７からの液流路が合流する気液混合室Ｒを画成する。
【００５６】
隔壁部材Ｃ５は、ステムＣ２内上端部に嵌着され、吐出弁３７上方に蓋板部ｅを支持し、中央より上方に向かってテーパ状に広がり、蓋板部ｅ周囲に開口する液流路を備えている。図示例に於いて隔壁部材Ｃ５は、ステムＣ２内周に嵌着させた、上面が上方へ向かって広がるテーパ面ｆ１をなす嵌合筒９１と、嵌合筒９１内周縁に立設した支柱９２により外周縁を支持され、下面周縁部が上方へ向かって広がるテーパ面ｆ２とした蓋板部ｅとを備え、両テーパ面間に上記液流路を画成している。蓋板部ｅは、上面中央及び下面中央にそれぞれ円形の上部凹部９３及び下部凹部９４を凹設している。また、蓋板部ｅは下面を吐出弁体３６と隙間をあけた位置に、上端をステムＣ２の上端より若干上方位置に支持されている。
【００５７】
装着筒部材Ｃ６は、内部に起泡部材Ｃ７を嵌合して、吐出ヘッドＣ４の縦筒５０内に嵌着している。図示例では、吐出ヘッドＣ４の縦筒５０内周に装着筒部９５の外周上端部を嵌着させており、装着筒部９５の下端部をステムＣ２の外周上端部に嵌着させている。装着筒部９５は下部が肉厚小外径で、上部が肉薄大外径をなし、また、装着筒部９５の上下中央部の肉厚小外径部分の内周より、蓋板部ｅ上方に、中央部が隆起したフランジ状の底板ｂを延設しており、底板ｂの中央に連通窓ｗを開口している。また、装着筒部９５の下端部内周には環状凹部９８を設け、環状凹部９８直上の装着筒部９５内面には、下端を環状凹部９８の上端に開口し、上端をステムＣ２直上に開口した縦凹溝９９を縦設している。そして、この縦凹溝９９内、環状凹部９８内、ステムＣ２と筒状弁部４５との間とで、空気用シリンダ２０内からステムＣ２内に連通する空気通路ｐを構成している。本例に於ける空気通路ｐの上端開口は装着筒部９５の内面に周方向複数間欠に設けられており、それぞれ放射状に形成されている。尚、空気通路ｐの開口は少なくとも一つあれば良い。
【００５８】
そして、空気通路ｐ及び液流路と連通する気液混合室Ｒを、フランジ状の底板ｂと蓋板部ｅとの間に画成している。
【００５９】
起泡部材Ｃ７は、メッシュを張設した筒体７１を一対用意して、メッシュ７０が上端及び下端になる如く、装着筒部材Ｃ６の肉薄大外径をなす装着筒部９５の上部内に嵌着している。
【００６０】
ポペット弁体Ｄは、実質的に図１の例と同様である。
【００６１】
ストッパーＦは、吐出ヘッドＣ４の内方垂下壁５９と、装着キャップＡの頂壁１１間に介在させ、ガイド筒１２外周に離脱可能に嵌合させて吐出ヘッドＣ４の押し下げを防止する。
【００６２】
上記泡吐出器１は、図３の状態からストッパーＦを外して吐出ヘッドＣ４を押し下げると、基本的に図１の例と同様に作用する。但し、本例では、上記した上方に向かってテーパ状に広がる液流路を備えた隔壁部材Ｃ４の存在で、吐出弁からの液の流れがより円滑となり、また、蓋板部９０外周の液流路の一端開口部位に、空気通路ｐの一端を開口して合流させて気液をスムーズに合流させている。
【００６３】
本発明では、ステムＣ２内に吐出弁体３６の上下動を規制する隔壁部材Ｃ５を嵌着するとともに、吐出ヘッドＣ４の縦筒５０内に、内部に起泡部材Ｃ７を嵌合する装着筒部材Ｃ６を嵌着しているため、吐出ヘッドＣ４が外れる際には隔壁部材Ｃ５はステムＣ２内に止まり、装着筒部材Ｃ６と吐出ヘッドＣ４とが一緒に外れる。従って、吐出弁体３６が外れる虞はない。
【符号の説明】
【００６４】
１：泡吐出器
Ａ：装着キャップ
１０…周壁、１１…頂壁、１２…ガイド筒、１２ａ…外筒、１２ｂ…内筒、１２ｃ…頂板Ｂ：シリンダ部材
２０…空気用シリンダ、２１…液用シリンダ、２２…吸込み弁用の弁座、
２３…パイプ嵌合筒、２４…吸い上げ用のパイプ、２５…係止リブ、
Ｃ：作動部材
Ｃ１：液用ピストン
３０…嵌合筒部、３１…摺動部、３２…逆止弁用の弁座
Ｃ２：ステム
３５…吐出弁用の弁座、３５ａ…フランジ部、３５ｂ…環状部、３５ｃ…筒状部、
３６…吐出弁体、３７…吐出弁、３８…縦突条、３９…空気吐出弁用の弁座、
４０…縦突条、４１…係止突起
Ｃ３：空気用ピストン
４５…筒状弁部、４６…階段状の隔壁、４７…摺動部、４８…外気導入弁、
４９…空気吐出弁
Ｃ４：吐出ヘッド
５０…縦筒、５１…頂板、５２…外周壁、５３…ノズル、５４…吐出口、
５５…環状凹部、５６…縦凹溝、５７…補強用リブ、５８…外方垂下壁、
５９…内方垂下壁、
Ｃ５：隔壁部材
６０…嵌合筒、６１…隔壁筒部、６２…環状突条、６３…支持リブ、６４…凹部
９１…嵌合筒、９２…支柱、９３…上部凹部、９４…下部凹部、
ｆ１…テーパ面、ｆ２…テーパ面
Ｃ６：装着筒部材
６５…装着筒部、６８…垂下筒、６９…隙間用リブ、
９５…装着筒部、９８…環状凹部、９９…縦凹溝
Ｃ７：起泡部材
７０…メッシュ、７１…筒体
Ｄ：ポペット弁体
８０…係止突部、８１…逆止弁体、８２…逆止弁、８３…吸込み弁
Ｅ：オーバーキャップ
Ｆ：ストッパー
ｓ：コイルスプリング
ｐ：空気通路
Ｒ：気液混合室
ｂ…底板  ｅ…蓋板部  ｗ…連通窓
１００：容器体
１０１…口頸部
【図１】
0005924734.tif 000002
【図２】
0005924734.tif 000003
【図３】
0005924734.tif 000004
【図４】
0005924734.tif 000005